(57)【要約】【課題】可視光観察から赤外光観察への切換えの忘れにより、散瞳剤を点眼していない被検眼への可視光照射を防止すると共に、可視光観察への切換えの誤操作を防止する。【解決手段】開始終了管理手段において検査開始釦の選択を検知すると、検査を開始し、Ｓ１において、制御手段は観察切換手段により赤外光観察手段に切換える。続いて、Ｓ２において、検者は被検眼を観察しながら位置合わせを行い、撮影手段により被検眼を撮影する。Ｓ３において、開始終了管理手段は検査終了釦の選択等により検査を終了するか否かの判定を行い、検査終了と判定されるまでＳ２を繰り返す。【選択図】図２
2010094432.tif 000002
【特許請求の範囲】
【請求項１】
被検眼を赤外光観察する赤外光観察手段と、被検眼を可視光観察する可視光観察手段と、前記赤外光観察と前記可視光観察とを切換える観察切換手段と、検査開始及び検査終了を管理する開始終了管理手段と、被検眼を撮影する撮影手段と、検査開始時及び検査終了時の少なくとも一方において前記可視光観察から前記赤外光観察に切換える制御手段とを有することを特徴とする眼科撮影装置。
【請求項２】
被検眼への散瞳剤の点眼の有無を入力する散瞳情報入力手段を有し、前記制御手段は、検査開始時及び検査終了時の少なくとも一方において前記赤外光観察へ切換えると共に前記観察手段の切換えを禁止し、前記散瞳情報入力手段により散瞳剤の点眼ありと入力されたときに前記観察手段の切換えを許可することを特徴とする請求項１に記載の眼科撮影装置。
【請求項３】
前記散瞳情報入力手段は左右眼別に、被検眼への前記散瞳剤の点眼の有無を入力することを特徴とする請求項２に記載の眼科撮影装置。
【請求項４】
前記制御手段は散瞳情報入力手段により前記散瞳剤の点眼ありと入力されたときに、前記可視光観察に切換えることを特徴とする請求項２に記載の眼科撮影装置。
【請求項５】
被検眼を誘導するために撮影光軸上から固視標を提示する内部固視灯と、撮影光軸外から固視標を提示する外部固視灯とを有し、前記制御手段は、検査開始時は前記内部固視灯、前記外部固視灯を共に消灯し、前記散瞳情報入力手段により前記散瞳剤の点眼なしと入力されたときに前記内部固視灯を点灯し、前記散瞳剤の点眼ありと入力されたとき、前記赤外光観察に切換えるときは前記内部固視灯を点灯し、前記可視光観察に切換えるときは前記外部固視灯を点灯することを特徴とする請求項２に記載の眼科撮影装置。
【請求項６】
複数検査を平行して実施し、検査の切換えを管理する複数検査管理手段と、検査ごとに少なくとも前記赤外光観察と前記可視光観察による何れの観察であるかを記憶する観察状態記憶手段とを有し、前記複数検査管理手段が検査の切換えを検知したときに、前記制御手段は前記観察状態記憶手段に記憶している切換え先の検査の観察状態にすることを特徴とする請求項１又は２に記載の眼科撮影装置。
【請求項７】
被検眼の左右を検知する左右眼検知手段と、左右眼ごとに少なくとも前記赤外光観察と前記可視光観察の何れの観察であるかを記憶する観察状態記憶手段とを有し、前記左右眼検知手段が左右眼の切換えを検知したときに、前記制御手段は前記観察状態記憶手段に記憶している切換え先の被検眼の観察状態にすることを特徴とする請求項１又は２に記載の眼科撮影装置。
【発明の詳細な説明】
【技術分野】
【０００１】
本発明は、赤外光観察と可視光観察を切換え可能な眼科撮影装置に関するものである。
【背景技術】
【０００２】
一般に、被検眼の眼底を撮影する眼底撮影には、被検眼に散瞳剤を点眼しないで撮影を行う無散瞳撮影と、被検眼に散瞳剤を点眼して撮影を行う散瞳撮影が知られている。無散瞳撮影においては、暗所において被検眼を自然散瞳した状態で眼底撮影を行い、観察時には被検眼の縮瞳を防止するために、赤外光により観察を行う。
【０００３】
一方、散瞳撮影においては、散瞳剤により被検眼を強制的に散瞳させた状態で眼底撮影を行う。なお、散瞳撮影においては可視光を照射しても縮瞳が生じないため、可視光での観察が一般的であるが、被検眼の負担を軽減するために赤外光により観察を行うこともある。
【０００４】
特許文献１においては、無散瞳撮影と散瞳撮影の双方の撮影が可能な共用機が提案されている。この共用機では、検者により無散瞳撮影、散瞳撮影の機能を切換えることにより、無散瞳撮影時には赤外光観察、散瞳撮影時には可視光観察に切換えて撮影を行っている。
【０００５】
被検者の体内に蛍光剤を静注して撮影を行う蛍光撮影は、通常１０〜３０分以上の検査時間を必要とする。一般に、蛍光撮影における蛍光前期は、蛍光剤の流入による観察像の変化量が大きいため、短時間で多くの撮影を行う必要が生ずるが、蛍光剤が眼底全体に廻った蛍光後期においては、観察像の変化量が小さいために撮影間隔を長くしている。
【０００６】
蛍光撮影において、多数の被検者の撮影を行う場合には、全体の撮影効率を向上させるために、蛍光後期の撮影間隔の空いた時間に、別の被検者の撮影を行うことがある。
【０００７】
特許文献２においては、このような場合に対応するために、複数の検査を同時に実施することができる装置が提案されている。
【０００８】
【特許文献１】特開平９−６６０３０号公報
【特許文献２】特開２００４−１８０７０５号公報
【発明の開示】
【発明が解決しようとする課題】
【０００９】
しかし、散瞳剤を点眼して可視光観察を行っている被検者から、散瞳剤を点眼しない赤外光観察を行う被検者に代える際に、可視光観察から赤外光観察へのモード切換えを忘れてしまう虞れがある。また、散瞳剤を点眼しないで赤外光観察をする際に、誤操作により可視光観察に切換えてしまうこともある。
【００１０】
散瞳剤を点眼していない被検者の被検眼に可視光を照射すると、被検眼が縮瞳してしまう。一旦、被検眼が縮瞳してしまうと、自然散瞳するまでの待ち時間が必要になり、撮影効率が悪化する。
【００１１】
本発明の目的は、上述の問題点を解消し、可視光観察から赤外光観察への切換えの忘れにより、散瞳剤を点眼していない被検眼への可視光照射を防止すると共に、可視光観察への切換えの誤操作を防止する眼科撮影装置を提供することにある。
【課題を解決するための手段】
【００１２】
上記目的を達成するための本発明に係る眼科撮影装置は、被検眼を赤外光観察する赤外光観察手段と、被検眼を可視光観察する可視光観察手段と、前記赤外光観察と前記可視光観察とを切換える観察切換手段と、検査開始及び検査終了を管理する開始終了管理手段と、被検眼を撮影する撮影手段と、検査開始時及び検査終了時の少なくとも一方において前記可視光観察から前記赤外光観察に切換える制御手段とを有することを特徴とする。
【発明の効果】
【００１３】
本発明に係る眼科撮影装置によれば、検査開始時及び検査終了時の少なくとも一方で、自動的に赤外光観察に切換えるため、散瞳剤を点眼せずに赤外光観察する場合に、観察手段の切換え忘れによる被検眼の縮瞳防止が可能となる。
【００１４】
また、検査開始時及び検査終了時の少なくとも一方で、自動的に赤外光観察に切換えると共に観察手段の切換えを禁止し、散瞳情報入力で散瞳剤の点眼ありと入力した時に観察手段の切換えを許可している。そのため、散瞳剤を点眼せずに赤外光観察する場合に、誤操作による被検眼の縮瞳防止が可能となる。
【発明を実施するための最良の形態】
【００１５】
本発明を図示の実施例に基づいて詳細に説明する。
【実施例１】
【００１６】
図１は実施例１における眼科撮影装置のブロック回路構成図を示しており、被検眼を赤外光で観察する赤外光観察手段１及び可視光で観察する可視光観察手段２は、赤外光観察と可視光観察を切換える観察切換手段３に接続されている。この観察切換手段３は制御手段４と接続され、制御手段４には検査開始及び検査終了を管理する開始終了管理手段５及び被検眼を撮影する撮影手段６が接続されている。
【００１７】
図２は本実施例１における眼科撮影装置を用いた撮影のフローチャート図である。先ず、図示しない検査開始釦の選択を検知すると、開始終了管理手段５において検査を開始し、ステップＳ１において、制御手段４は観察切換手段３により赤外光観察手段１に切換える。続いて、ステップＳ２において、検者は被検眼を観察しながら位置合わせを行い、撮影手段６により被検眼を撮影する。ステップＳ３において、開始終了管理手段５は図示しない検査終了釦の選択等により検査を終了するか否かの判定を行い、検査終了と判定されるまでステップＳ２を繰り返す。
【００１８】
本実施例１においては、検査開始時のステップＳ１において、赤外光観察に切換えたが、ステップＳ３で検査を終了すると判定された後、つまり検査終了時に赤外光観察に切換えてもよい。
【実施例２】
【００１９】
図３は実施例２におけるブロック回路構成図を示しており、実施例１と同一の部材には同一の符号を付している。本実施例２においては、制御手段４に被検眼への散瞳剤の点眼の有無の情報を入力する散瞳情報入力手段７が接続されている。
【００２０】
図４は本実施例２における撮影のフローチャート図である。先ず、開始終了管理手段５が図示しない検査開始釦の選択を検知すると、検査を開始する。ステップＳ１１において、制御手段４は観察切換手段３による観察手段１、２の切換えを許可する。ステップＳ１２において、制御手段４は観察切換手段３を介して赤外光観察手段１による赤外光観察に切換える。
【００２１】
続いて、ステップＳ１３において制御手段４は観察切換手段３による観察手段１、２の切換えを禁止する。ステップＳ１４において、検者は散瞳情報入力手段７を介して、例えば図５に示す散瞳情報入力手段７の入力画面７ａにより、被検眼への散瞳剤の点眼の有無を入力する。また、入力画面７ａにおいて、散瞳剤の種類、瞳孔径等の追加情報を入力してもよい。
【００２２】
続いて、ステップＳ１５において、ステップＳ１４で入力した散瞳剤の点眼の有無を判定し、散瞳剤の点眼ありと入力された場合にはステップＳ１６に進み、観察切換手段３による観察手段１、２の切換えを許可する。続いて、ステップＳ１７において、制御手段４は観察切換手段３を介して可視光観察手段２による可視光観察に切換えた後に、ステップＳ１８において検者は被検眼を観察しながら位置合わせを行い、撮影手段６により被検眼を撮影する。
【００２３】
最後に、ステップＳ１９において、開始終了管理手段５は検査を終了するか否かの判定を行い、検査を終了すると判定されるまで、ステップＳ１８を繰り返す。また、ステップＳ１５において、散瞳剤の点眼なしと入力されていると判断された場合には、ステップＳ１８に移行して、観察、撮影を行う。
【００２４】
本実施例２においては、検査開始時にステップＳ１１の観察手段１、２の切換え許可、ステップＳ１２の赤外光観察への切換え及びステップＳ１３の観察手段１、２の切換え禁止を行っている。しかし、これらの切換え及び切換え禁止は、ステップＳ１９において検査を終了すると判定された後、つまり検査終了時に行ってもよい。また、検査開始時と検査終了時の双方で行ってもよい。更に、ステップＳ１７において赤外光観察から可視光観察に切換えたが、可視光観察に切換えずに赤外光により観察することができる。
【００２５】
更に、ステップＳ１４において、検査開始後に散瞳情報入力手段７を介して散瞳剤の点眼の有無を入力したが、検査開始前に入力することもできる。この場合には、検査開始時に散瞳剤の点眼の有無が決定するため、散瞳剤の点眼なしの場合には、検査開始時に赤外光観察へ切換え、観察手段１、２の切換えを禁止する。また、散瞳剤の点眼ありの場合には、検査開始時に赤外光観察又は可視光観察へ切換え、観察手段１、２の切換えを許可する。
【００２６】
本実施例２においては、散瞳情報入力後に観察、撮影を行うことから、被検眼を誘導するために、撮影光軸上から固視標を提示する内部固視灯、及び撮影光軸外から固視標を提示する外部固視灯を次のように制御することも可能となる。つまり、検査開始時には内部固視灯、外部固視灯を共に消灯し、散瞳情報入力後に、散瞳剤の点眼なしと入力された場合には内部固視灯を点灯する。散瞳剤の点眼ありと入力された場合には、赤外光観察に切換えるときは内部固視灯を点灯し、可視光観察に切換えるときは外部固視灯を点灯する。
【実施例３】
【００２７】
図６は実施例３における眼科撮影装置のブロック回路構成図を示している。本実施例３においては、制御手段４に複数検査を平行して実施し、検査毎の観察状態を記憶する観察状態記憶手段１１及び検査の切換えを管理する複数検査管理手段１２が接続されている。
【００２８】
図７は観察状態記憶手段１１に記憶する観察状態のリストの一例を示しており、実施する全検査に対して、「検査識別子」、「散瞳情報入力状態」、「観察手段」、「観察制御」を観察状態として記憶している。「散瞳情報入力状態」には、散瞳情報入力手段７による未入力、散瞳剤の点眼なし、散瞳剤の点眼あり等の入力状態を記憶する。「観察手段」は赤外光観察、可視光観察の何れであるかを記憶し、「観察制御」は観察手段１、２の切換え許可、観察手段１、２の切換え禁止の何れであるかを記憶する。
【００２９】
図８は本実施例３における撮影のフローチャート図である。複数検査管理手段１２が検査の切換えを検知すると、ステップＳ２１において、制御手段４は観察状態記憶手段１１から切換え先の「検査識別子」の観察状態を取得する。
【００３０】
続いてステップＳ２２において、制御手段４は観察切換手段３による観察手段１、２の切換えを許可する。ステップＳ２３において、制御手段４は「観察手段」を判定し、「観察手段」が赤外光観察の場合にはステップＳ２４に進み、観察切換手段３により赤外光観察に切換え、ステップＳ２６に進む。またステップＳ２３において、「観察手段」が可視光観察と判断された場合にはステップＳ２５に進み、観察切換手段３により可視光観察に切換え、ステップＳ２６に進む。
【００３１】
そして、ステップＳ２６において、制御手段４は「観察制御」を判定する。「観察制御」が観察手段１、２の切換え禁止の場合にはステップＳ２７に進み、観察切換手段３による観察手段１、２の切換えを禁止し、ステップＳ２８において検者は被検眼を観察しながら位置合わせを行い、撮影手段６により被検眼を撮影する。なお、ステップＳ２６において「観察制御」が観察手段１、２の切換え許可の場合には、ステップＳ２８へ移行する。
【００３２】
本実施例３においては、散瞳情報入力状態による「観察手段」、「観察制御」の例を示すために、「散瞳情報入力状態」を記憶するとしたが、「散瞳情報入力状態」は記憶しなくともよい。
【００３３】
また、散瞳情報入力手段７を有し、「観察手段」の切換え許可、禁止の制御を行う場合について説明したが、実施例１のように、観察手段１、２の切換え許可、禁止の制御を行わなくともよい。この場合には、図８のフローチャート図におけるステップＳ２２、Ｓ２６、Ｓ２７は不要となり、図７に示す「観察制御」は記憶しなくともよい。
【実施例４】
【００３４】
図９は実施例４におけるブロック回路構成図である。本実施例４においては、実施例３の複数検査管理手段１２の代りに、被検眼の左右を検知する左右眼検知手段２１が設けられている。
【００３５】
図１０は左右眼別に散瞳剤の点眼の有無を入力可能な散瞳情報入力手段７の入力画面７ｂを示している。図１１は観察状態記憶手段１１に記憶する観察状態のリストの一例を示し、実施中の１検査に対して、「左右眼」、「散瞳情報入力状態」、「観察手段」、「観察制御」を観察状態として記憶している。「散瞳情報入力状態」は散瞳情報入力手段７による入力状態（未入力、散瞳剤の点眼なし、散瞳剤の点眼あり）を記憶し、「観察手段」は赤外光観察、可視光観察の何れであるかを記憶する。「観察制御」は観察手段１、２の切換え許可、観察手段１、２の切換え禁止の何れであるかを記憶している。
【００３６】
図１２は本実施例４における撮影のフローチャート図である。左右眼検知手段２１が左右眼の切換えを検知すると、ステップＳ３１において、制御手段４は観察状態記憶手段１１から切換え先の被検眼の観察状態を取得する。ステップＳ３２において、制御手段４は観察切換手段３による観察手段１、２の切換えを許可する。
【００３７】
そして、ステップＳ３３において制御手段４は取得した「観察手段」を判定し、「観察手段」が赤外光観察の場合にはステップＳ３４に進み、観察切換手段３により赤外光観察に切換え、ステップＳ３６に進む。また、ステップＳ３３において「観察手段」が可視光観察の場合にはステップＳ３５に進み、制御手段４は観察切換手段３により可視光観察に切換えてステップＳ３６に進む。
【００３８】
そして、ステップＳ３６において、ステップＳ３４、Ｓ３５において取得した「観察制御」を判定する。「観察制御」が観察手段１、２の切換え禁止の場合にはステップＳ３７に進み、観察切換手段３による観察手段１、２の切換えを禁止し、ステップＳ３８において検者は被検眼を観察しながら位置合わせを行い、撮影手段６により被検眼を撮影する。なお、ステップＳ３６において「観察制御」が、観察手段１、２の切換え許可の場合にはステップＳ３８に移行する。
【００３９】
本実施例４においては、散瞳情報入力状態による「観察手段」、「観察制御」の例を示すために、「散瞳情報入力状態」を記憶するとしたが、「散瞳情報入力状態」は記憶しなくともよい。
【００４０】
また、散瞳情報入力手段７を有し、観察手段１、２の切換え許可、禁止の制御を行う場合について説明したが、実施例１のように観察手段１、２の切換え許可、禁止の制御を行わなくともよい。この場合には、図１２のフローチャート図において、ステップＳ３２、Ｓ３６、Ｓ３７は不要となり、図１１の「観察制御」は記憶しなくともよい。
【００４１】
更に、本実施例４においては、実施中の検査が１検査の場合を説明したが、実施例３の複数検査の場合と組み合わせることもできる。
【図面の簡単な説明】
【００４２】
【図１】実施例１の眼科撮影装置のブロック回路構成図である。
【図２】フローチャート図である。
【図３】実施例２のブロック回路構成図である。
【図４】フローチャート図である。
【図５】入力画面の説明図である。
【図６】実施例３のブロック回路構成図である。
【図７】観察状態のリストの一例である。
【図８】フローチャート図である。
【図９】実施例４のブロック回路構成図である。
【図１０】入力画面の説明図である。
【図１１】観察状態のリストの一例である。
【図１２】フローチャート図である。
【符号の説明】
【００４３】
１  赤外光観察手段
２  可視光観察手段
３  観察切換手段
４  制御手段
５  開始終了管理手段
６  撮影手段
７  散瞳情報入力手段
１１  観察状態記憶手段
１２  複数検査管理手段
２１  左右眼検知手段
【図１】
2010094432.tif 000003
【図２】
2010094432.tif 000004
【図３】
2010094432.tif 000005
【図４】
2010094432.tif 000006
【図５】
2010094432.tif 000007
【図６】
2010094432.tif 000008
【図７】
2010094432.tif 000009
【図８】
2010094432.tif 000010
【図９】
2010094432.tif 000011
【図１０】
2010094432.tif 000012
【図１１】
2010094432.tif 000013
【図１２】
2010094432.tif 000014